(57)【要約】【課題】ＩＤキーに対応付けられた情報であってＩＤキーに電子データとして記憶されていない付属情報を１人で点検することを可能にするＩＤキーの点検支援装置の提供。【解決手段】電気錠を制御するコントローラ１００に接続されるものであり、コントローラ１００に予め記憶されたキーＩＤと、このキーＩＤに対応付けられてＩＤキー１に電子データとして記憶されていない付属情報とを取り込む携帯可能な取込装置２０と、この取込装置２０に接続されるものであり、ＩＤキー１からキーＩＤを読み取る携帯可能な読取装置３０とを備え、取込装置２０は、読取装置３０により読み取られたキーＩＤに対応付けられた付属情報を、コントローラ１００から取り込んだ付属情報の中から検索する情報処理装置２２と、この情報処理装置２２による検索の結果である付属情報を、読み取られたキーＩＤととともに表示する表示装置２３とを備えた。【選択図】図１
2011232939.tif 000002
【特許請求の範囲】
【請求項１】
電気錠を制御するコントローラに解錠を要求するためのキーＩＤが電子データとして記憶されたＩＤキーに対して用いられるＩＤキーの点検支援装置であって、
前記コントローラに予め記憶されたキーＩＤと、このキーＩＤに対応付けられて前記ＩＤキーに電子データとして記憶されていない付属情報とを、前記コントローラに接続されて取り込む携帯可能な取込装置と、
この取込装置に接続されるものであって、前記ＩＤキーからキーＩＤを読み取る携帯可能な読取装置とを備え、
前記取込装置は、前記読取装置により読み取られたキーＩＤに対応付けられた付属情報を、前記コントローラから取り込んだ付属情報の中から検索する情報処理装置と、この情報処理装置による検索の結果である付属情報を表示する表示装置とを備えた
ことを特徴とするＩＤキーの点検支援装置。
【請求項２】
請求項１に記載のＩＤキーの点検支援装置において、
前記付属情報は、前記ＩＤキーに取り付けられる部材の色である
ことを特徴とするＩＤキーの点検支援装置。
【請求項３】
請求項１に記載のＩＤキーの点検支援装置において、
前記付属情報は、前記ＩＤキーにより操作される錠が設けられた居室Ｎｏ．である
ことを特徴とするＩＤキーの点検支援装置。
【請求項４】
請求項１〜３のいずれか１項に記載のＩＤキーの点検支援装置を用いたＩＤキーの点検方法において、
取込装置を用いて前記コントローラから前記予め記憶されたキーＩＤと付属情報とを取り込む第１工程と、
読取装置にＩＤキーのキーＩＤを読み取らせ、取込装置の情報処理装置に、前記読取装置により読み取られたキーＩＤに対応付けられた付属情報を検索させる第２工程と、
前記情報処理装置による検索の結果である付属情報を、前記取込装置の表示装置に表示させる第３工程と、
前記表示装置により表示された付属情報と、ＩＤキーに実際に対応付けられている付属情報とが一致するかどうかを確認する第４工程と
を含むことを特徴とするＩＤキーの点検方法。
【発明の詳細な説明】
【技術分野】
【０００１】
本発明は、ＩＤキーに対応付けられた情報の正誤を点検する際に用いられるＩＤキーの点検支援装置、および、この点検支援装置を用いたＩＤキーの点検方法に関する。
【背景技術】
【０００２】
従来のＩＤキーの点検方法について図５，図６を用いて説明する。図５は、ＩＤキーの点検作業に採用されているシステムを示すブロック線図である。図６は、図５に示したシステムを用いて行われるＩＤキーの点検作業の流れを示すフローチャートである。
【０００３】
マンション等の複数の区画や居室を有する建物では、それら区画や居室に対しては電気錠が設けられ、その電気錠の解錠にはＩＤキーが用いられる。ＩＤキーには、図５に示すＩＤキー１のように、シリンダー錠を解錠するための金属製の子鍵２と、この子鍵２の一端に設けられたキーヘッド３とを備えたものがある。キーヘッド３には、そのＩＤキーを特定するシリアル番号（以下「キーＩＤ」と呼称する）が電子データの形で記憶された記憶装置（ＩＣチップ）が内蔵されている。また、キーヘッド３には、色付きの小片から成る部材、すなわちカラーチップ４がその色を外部に露呈した状態で取り付けられている。このカラーチップ４の色は、所定の複数種類の色、例えば青、赤、緑、黄、白、桃、紫、灰の計８色の中から選択されるものである。ある居室に対し３個のＩＤキーを割り当てる場合には、それらのＩＤキーのそれぞれに対し青、赤、緑の異なる３色のカラーチップ４のそれぞれを取り付け、４個のＩＤキーを割り当てる場合には、それらのＩＤキーのそれぞれに対し青、赤、緑、黄の異なる４色のカラーチップ４のそれぞれを取り付ける、というように、１つの居室に対し複数のＩＤキーを割り当てる場合に、それらのＩＤキーのそれぞれに対し異なる色のカラーチップ４を取り付けることが行われる。
【０００４】
建物には、複数個所の電気錠を制御するコントローラ１００と、キーＩＤを読み取ってコントローラ１００に伝送する読取装置１０１とが設置されている。コントローラ１００は、その建物で使用されるＩＤキー１のそれぞれに係る情報として、そのＩＤキーのキーＩＤと、このキーＩＤに対応付けられた付属情報であるカラーチップ４の色および居室Ｎｏ．とを予め記憶している。このコントローラ１００は、読取装置１０１からキーＩＤが伝送されてくると、このキーＩＤと対応付けられた電気錠を解錠するようになっている。
【０００５】
ところで、カラーチップ４は人によってキーヘッド３に装着されるものである。また、納品にあたってＩＤキー１には、居室Ｎｏ．が記載されたタグ５が人によって付けられる。したがって、ＩＤキー１に対し、間違った色のカラーチップ４、間違った居室Ｎｏ．が記載されたタグ５が取り付けられてしまう場合がある。したがって、建物に設置されたコントローラ１００にキーＩＤに対応付けられて記憶されたカラーチップ４の色および居室Ｎｏ．と、そのキーＩＤのＩＤキー１に実際に取り付けられたカラーチップ４の色およびタグ５に記載された居室Ｎｏ．とが一致しているかどうかを、すなわち実際のカラーチップ４の色と居室Ｎｏ．とが正しいかどうかを点検する必要がある。その点検は図６に示す流れで行われる。その流れについて次に説明する。
【０００６】
はじめに２人の作業員（以下「第１，第２作業員」と呼称する）のうち第１作業員が、マンションで使用される全てのＩＤキー１のキーＩＤと、そのキーＩＤに対応付けられたカラーチップ４の色に相当するデータ、および居室Ｎｏ．に相当するデータをコントローラ１００にダウンロードし、コントローラ１００を稼働させる（ステップＢ１）。次に、第１作業員は、図５に示すようにノートパソコン１０２を、コントローラ１００にＬＡＮケーブルを介して接続する（ステップＢ２）。つまり、コントローラ１００にダウンロードした各ＩＤキー１のキーＩＤをノートパソコン１０２に表示させることができるようにする。
【０００７】
次に、第２作業員は、建物に据え付けられた読取装置にＩＤキー１のキーヘッド３をかざしてキーＩＤを読み取らせ(ステップＢ３)、このキーＩＤをノートパソコン１０２に表示させる（ステップＢ４）。次に、第２作業員は、ノートパソコン１０２に表示させたキーＩＤを、チェックシート（キーＩＤ、カラーチップ４の色、居室Ｎｏ．の正しい組合せが記載されたもの）中から目視で探し出し（ステップＢ５）、その組合せと、第１作業員から報告された実際のカラーチップ４の色とタグ５に記載された居室Ｎｏ．とを照合して、両者が一致しているかどうかを確認する（ステップＢ６）。一致していなかった場合、すなわち実際のカラーチップ４の色およびタグ５に記載の居室Ｎｏ．の少なくとも一方が間違っていた場合（ステップＢ６でＮＯ）、チェックシート中のチェック欄に「ＮＧ」を記入し（ステップＢ９）、間違っていたカラーチップ４およびタグ５の少なくとも一方を、正しいものに取り替え（ステップＢ１０）、再び、ステップＢ３からのルーチンに戻る。
【０００８】
ステップＢ６でノートパソコン１０２に表示させた組合せが正しかった場合（ステップＢ６でＹＥＳ）、チェックシートのチェック欄に「ＯＫ」と記入し（ステップＢ７）、引き続き、全てのＩＤキー１について、カラーチップ４の色とタグ５に記載の居室Ｎｏ．とが正しいと確認できるまで、点検作業を続ける（ステップＢ８でＮＯ→ステップＢ３→ステップＢ４→ステップＢ５→ステップＢ８でＮＯ・・・）。そして、全てのＩＤキー１について正しいと確認できたら（ステップＢ８でＹＥＳ）、チェックシートを作業報告書として提出し（ステップＢ１１）、点検は終了する。
【０００９】
なお、ＩＤキーの種類にはカード型のものもある。特許文献１にはカード検査装置が開示されている。このカード検査装置は、カードを特定するカードキーＩＤ情報と、カードに記憶される発行データとを対応付けて記憶する発行データ記憶部と、カードから発行データとカードキーＩＤ情報とを読み出す読み出し部と、この読み出し部が読み出したカードキーＩＤ情報に対応する発行データを発行データ記憶部から読み出し、この発行データと読み出し部によって読み出された発行データとを比較する比較部と、比較部の比較結果を出力する出力部とを有する。
【００１０】
この種のカード検査装置によれば、ＩＤキーに記憶された電子データをチェックすることはできる。しかし、ＩＤキーに対し電子データではない形で対応付けられた付属情報（カラーチップの色、タグ５に記載された居室Ｎｏ．）をチェックすることはできない。
【先行技術文献】
【特許文献】
【００１１】
【特許文献１】特開２００４−２８７５８６号公報（段落０００８，００１９）
【発明の概要】
【発明が解決しようとする課題】
【００１２】
マンション等の建物において、電気錠を制御するコントローラは、建物の入口等に据え付けられたキーＩＤの読取装置と離れて設置されているため、ＩＤキーのキーＩＤをその読取装置に読み込ませる第１作業員と、コントローラ付近でノートパソコンにキーＩＤを表示させる第２作業員との少なくとも２人の作業者が必要であった。
【００１３】
本発明は前述の事情を考慮してなされたものであり、その目的は、ＩＤキーに対応付けられた情報であってＩＤキーに電子データとして記憶されていない付属情報を１人で点検することを可能にするＩＤキーの点検支援装置、および、この点検支援装置を用いた点検方法を提供することにある。
【課題を解決するための手段】
【００１４】
前述の目的を達成するために本発明に係るＩＤキーの点検支援装置および点検方法は次のように構成されている。
【００１５】
〔１〕  本発明に係るＩＤキーの点検支援装置は、電気錠を制御するコントローラに解錠を要求するためのキーＩＤが電子データとして記憶されたＩＤキーに対して用いられるＩＤキーの点検支援装置であって、前記コントローラに予め記憶されたキーＩＤと、このキーＩＤに対応付けられて前記ＩＤキーに電子データとして記憶されていない付属情報とを、前記コントローラに接続されて取り込む携帯可能な取込装置と、この取込装置に接続されるものであって、前記ＩＤキーからキーＩＤを読み取る携帯可能な読取装置とを備え、前記取込装置は、前記読取装置により読み取られたキーＩＤに対応付けられた付属情報を、前記コントローラから取り込んだ付属情報の中から検索する情報処理装置と、この情報処理装置による検索の結果である付属情報を表示する表示装置とを備えたことを特徴とする。
【００１６】
この「〔１〕」に記載のＩＤキーの点検支援装置において、取込装置と読取装置はいずれも携帯可能なものだから、これらをコントローラ付近で、または、コントローラから離れた場所（例えばＩＤキーを使用する建物の敷地内の建築事務所、建物の管理人室など）で、点検作業、すなわち、読取装置にＩＤキーのキーＩＤを読み取らせ、取込装置の情報処理装置にそのキーＩＤに対応付けられた付属情報を検索させ、その検索結果である付属情報を取込装置の表示装置に表示させ、その表示させた付属情報と、実際のＩＤキーに対応付けられた付属情報とが一致しているかどうかを確認する、という点検作業を行うことができる。つまり、建物に据付けの読取装置を使用することなく、作業員が１人だけでコントローラの付近、または、コントローラから離れた場所で、ＩＤキーの付属情報の点検を行うことができる。
【００１７】
〔２〕  本発明に係るＩＤキーの点検支援装置は、「〔１〕」に記載のＩＤキーの点検支援装置において、前記付属情報は、前記ＩＤキーに取り付けられる部材の色であることを特徴とする。
【００１８】
〔３〕  本発明に係るＩＤキーの点検支援装置は、「〔１〕」に記載のＩＤキーの点検支援装置において、前記ＩＤキーにより操作される錠が設けられた居室Ｎｏ．であることを特徴とする。
【００１９】
〔４〕  本発明に係るＩＤキーの点検方法は、「〔１〕」〜「〔３〕」のいずれかひとつに記載のＩＤキーの点検支援装置を用いたＩＤキーの点検方法において、取込装置を用いて前記コントローラから前記予め記憶されたキーＩＤと付属情報とを取り込む第１工程と、読取装置にＩＤキーのキーＩＤを読み取らせ、取込装置の情報処理装置に、前記読取装置により読み取られたキーＩＤに対応付けられた付属情報を検索させる第２工程と、前記情報処理装置による検索の結果である付属情報を、前記取込装置の表示装置に表示させる第３工程と、前記表示装置により表示された付属情報と、ＩＤキーに実際に対応付けられている付属情報とが一致するかどうかを確認する第４工程とを含むことを特徴とする。
【発明の効果】
【００２０】
本発明によれば、ＩＤキーに対応付けられた付属情報を１人で点検することを可能にするＩＤキーの点検支援装置、および、この点検支援装置を用いた点検方法を提供することができる。
【図面の簡単な説明】
【００２１】
【図１】本発明の一実施形態に係るＩＤキーの点検支援装置の構成を示すブロック線図である。
【図２】図１に示した読取装置および取込装置の構成の詳細を示すブロック線図である。
【図３】図１に示したＩＤキーの点検支援装置に備えられた表示装置により表示される画面の一例を示す図である。
【図４】図１に示したＩＤキーの点検支援装置を用いて行われるＩＤキーの点検作業の流れを示すフローチャートである。
【図５】ＩＤキーの従来の点検作業に用いられるシステム構成を示すブロック線図である。
【図６】図５に示したシステム構成を用いて行われるＩＤキーの点検作業の流れを示すフローチャートである。
【発明を実施するための形態】
【００２２】
以下、本発明の一実施形態に係るＩＤキーの点検支援装置および点検方法について図１〜図４を用いて説明する。なお、以下では「背景技術」の欄で述べたことと重複する内容も改めて説明してある。
【００２３】
図１に示すように、マンション等の複数の区画や居室を有する建物では、それら区画や居室に対しては電気錠が設けられ、その電気錠の解錠にはＩＤキー１がいられる。ＩＤキー１は、シリンダー錠を解錠するための金属製の子鍵２と、この子鍵２の一端に設けられたキーヘッド３とを備えたものがある。キーヘッド３には、そのＩＤキー１を特定するシリアル番号、すなわちキーＩＤが電子データの形で記憶された記憶装置（ＩＣチップ）が内蔵されている。また、キーヘッド３には、色付きの小片から成る部材、すなわちカラーチップ４がその色を外部に露呈した状態で取り付けられている。このカラーチップ４の色は、所定の複数種類の色、例えば青、赤、緑、黄、白、桃、紫、灰の計８色の中から選択されるものである。ある居室に対し３個のＩＤキーを割り当てる場合には、それらのＩＤキーのそれぞれに対し青、赤、緑の異なる３色のカラーチップ４のそれぞれを取り付け、４個のＩＤキーを割り当てる場合には、それらのＩＤキーのそれぞれに対し青、赤、緑、黄の異なる４色のカラーチップ４のそれぞれを取り付ける、というように、１つの居室に対し複数のＩＤキーを割り当てる場合に、それらのＩＤキーのそれぞれに対し異なる色のカラーチップ４を取り付けることが行われる。
【００２４】
建物には、複数個所の電気錠を制御するコントローラ１００が設置され、キーＩＤを読み取ってコントローラ１００に伝送する読取装置１０１が据え付けられている。コントローラ１００は、その建物で使用されるＩＤキー１のそれぞれに係る情報として、そのＩＤキーのキーＩＤと、このキーＩＤに対応付けられた付属情報であるカラーチップ４の色および居室Ｎｏ．とを予め記憶している。このコントローラ１００は、据え付けられた読取装置１０１からキーＩＤが伝送されてくると、このキーＩＤと対応付けられた電気錠を解錠するようになっている。
【００２５】
本実施形態に係るＩＤキーの点検支援装置は、コントローラ１００にＬＡＮケーブルを介して電子データの送受信が可能に接続される携帯可能な取込装置２０と、この取込装置２０に電子データの送受信が可能に接続されるものであってＩＤキー１からキーＩＤを読み取る携帯可能な読取装置３０とを備えている。
【００２６】
取込装置２０は、ＵＳＢインターフェース２１と、このＵＳＢインターフェース２１から入力されたデータに基づき所定の情報処理を行う、ＣＰＵ、ＲＡＭ、ＲＯＭおよび補助記憶装置を含む情報処理装置２２と、この情報処理装置２２による処理結果に基づき所定の画面を表示する表示装置２３（液晶表示装置）とを備えたものである。本実施形態において、取込装置２０はＩＤキー１の点検支援のためのソフトウェアがインストールされたノートパソコンであり、そのソフトウェアの設定によって、情報処理装置２２は記憶手段２２ａ、検索手段２２ｂを備えたものとなっている。記憶手段２２ａは、コントローラ１００に予め記憶されたキーＩＤと、このキーＩＤに対応付けられた付属情報とがＵＳＢインターフェース２１から入力されたときに、これらキーＩＤと付属情報を、補助記憶装置を用いて記憶するものである。検索手段２２ｂは、読取装置３０により読み取られたキーＩＤに対応付けられた付属情報を、コントローラ１００から取り込んだ付属情報の中から検索するものである。付属情報は、ＩＤキー１に電子データとして記憶されていないものであり、本実施形態においてはＩＤキー１に取り付けられた色付きの部材、カラーチップ４の色と、そのＩＤキー１により操作される錠が設けられた居室Ｎｏ．である。ＩＤキー１の納品時、そのＩＤキー１には、居室Ｎｏ．が記載されたタグ５が取り付けられている。
【００２７】
読取装置３０は、読取部３１、ＲＳ−４８５インターフェース３２を備えている。読取部３１は、キーＩＤの読取りのためにキーヘッド３が近づけられる個所であり、電磁誘導によりキーヘッド３に内蔵されたＩＣチップを接触させることなく駆動してキーＩＤに相当する信号を出力させ、この信号をアンテナにより受信するものである。読取部３１は読み取ったキーＩＤをＲＳ−４８５インターフェース３２から出力するようになっている。このＲＳ−４８５インターフェース３２は、信号変換器３３を介して取込装置２０のＵＳＢインターフェース２１に接続される。なお、読取装置３０は、商用電源（図示省略）またはバッテリ（図示省略）の電力により動作するようになっている。
【００２８】
表示装置２３は、例えば図３に示す画面４０を表示する。画面４０の略中央には、居室Ｎｏ．表示欄４１ａ、登録色表示欄４１ｂ、キーＩＤ表示欄４１ｃが縦方向に並んで構成されたＩＤ情報表示欄４１が設けられている。キーＩＤ表示欄４１ｃには、読取装置３０により読み取られたキーＩＤが表示される。登録色表示欄４１ｂには、読取装置３０により読み取られたキーＩＤに対応付けられたカラーチップ４の色（登録色）が、コントローラ１００から取り込まれて記憶手段２２ａにより記憶された付属情報の中から検索されて表示される。居室Ｎｏ．表示欄４１ａには、読取装置３０により読み取られたキーＩＤに対応付けられた居室Ｎｏ．が、コントローラ１００から取り込まれて記憶手段２２ａにより記憶された付属情報の中から検索されて表示される。
【００２９】
ＩＤ情報表示欄４１の左上方には、ＯＫチェック欄４２とＮＧチェック欄４３とが設けられている。これらＯＫチェック欄４２とＮＧチェック欄４３に対しては、選択的にチェックマークが表示される。登録色表示欄４１ｂに表示された登録色、居室Ｎｏ．表示欄４１ａに表示された居室Ｎｏ．が、実際のＩＤキー１のものと一致している場合に、作業員はＯＫチェック欄４２をクリックして、ここにチェックマークを表示させることになる。登録色表示欄４１ｂに表示された登録色、居室Ｎｏ．表示欄４１ａに表示された居室Ｎｏ．のどちらかいっぽうでも、実際のＩＤキー１のものと一致していない場合には、作業員はＮＧチェック欄４３をクリックして、ここにチェックマークを表示させることになる。
【００３０】
ＩＤ情報表示欄４１の右上方には、キー総数表示欄４４、キー確認数表示欄４５が設けられている。キー総数表示欄４４には、コントローラ１００から取り込んだキーＩＤの総数が表示される。キー確認数表示欄４５には、チェック済みのＩＤキー１の総数が表示される。
【００３１】
画面４０の下部には、作業中断ボタン４６および作業完了ボタン４７が設けられている。作業中断ボタン４６は、情報処理装置２２および画面４０の一時停止とその解除を取込装置２０に指令するためのアイコンであり、作業完了ボタン４７は、チェックログの表示を指令するためのアイコンである。それらのチェックログに基づき、ＩＤキー１の納品のための作業報告書が作成されることになる。
【００３２】
このように構成されたＩＤキーの点検支援装置１０を用いて行われるＩＤキー１の点検作業の流れについて、図４を用いて説明する。
【００３３】
図４に示すように、はじめに作業員は、建物で使用される全てのＩＤキー１のキーＩＤと、そのキーＩＤに対応付けられたカラーチップ４の色（登録色）に相当するデータ、および居室Ｎｏ．に相当するデータをコントローラ１００にダウンロードする（ステップＡ１）。次に、図４に２点鎖線で示すように取込装置２０を、コントローラ１００にＬＡＮケーブルを介して接続し、コントローラ１００に記憶されているキーＩＤ、登録色、居室Ｎｏ．のそれぞれに相当するデータ、およびそれらの対応関係に相当するデータを取込装置２０にダウンロードする（ステップＡ２）。
【００３４】
次に、取込装置２０をコントローラ１００から取り外し、コントローラ１００付近で、または、コントローラ１００から離れた場所（例えばＩＤキーを使用する建物の敷地内の建築事務所、建物の管理人室など）で、読取装置３０のＲＳ−４８５インターフェース３２を、信号変換器３３を介して取込装置２０のＵＳＢインターフェース２１に接続する（ステップＡ３）。
【００３５】
次に、読取装置３０の読取部３１にＩＤキー１のキーヘッド３をかざして、キーＩＤを読み取らせ（ステップＡ４）、取込装置２０の検索手段２２ｂに、そのキーＩＤに対応付けられた付属情報（登録色、居室Ｎｏ．）を、コントローラ１００からダウンロードされて記憶手段２２ａにより記憶されている付属情報の中から検索させ、表示装置２３に表示させる（ステップＡ５）。これらステップＡ４，Ａ５において、例えば４個のＩＤキー１のキーＩＤを読み込ませた場合、図３に示すように、取込装置２０の表示装置２３により表示される画面４０中のキー総数表示欄４４には「４」が表示される。また、点検の済んでいないＩＤキーのキーＩＤのうち最も早く読み込まれたもの、例えば４個のうち最初に読み込まれた１６桁のキーＩＤ、例えば「Ｆ３Ｆ８Ａ５６０００００００００」が、キーＩＤ表示欄４１ｃに表示される。さらに、コントローラ１００からダウンロードされて記憶手段２２ａにより記憶されている付属情報の中から検索された、その１６桁のキーＩＤに対応付けられた付属情報、すなわち「２０１号室」、「青」がそれぞれ居室Ｎｏ．表示欄４１ａ、登録色表示欄４１ｂに表示される。
【００３６】
次に、取込装置２０の表示装置２３に表示させた２０１号室および青と、実際のＩＤキー１のタグ５に記載された居室Ｎｏ．およびカラーチップ４の色とが一致しているかどうか、すなわち実際のタグ５に記載された居室Ｎｏ．とカラーチップ４の色とが正しいかどうかを目視によりチェックする（ステップＡ６）。一致していなかった場合、すなわち実際の付属情報の組合せが間違っていた場合（ステップＡ６でＮＯ）、画面４０中のＮＧチェック欄４３をクリックして、ここにチェックマークを表示させる（ステップＡ９）、一致していなかった実際のカラーチップ４およびタグ５の少なくとも一方を一致するように取り替え（ステップＡ１０）、再び、ステップＡ４からのルーチンに戻る。
【００３７】
ステップＡ６で一致していた場合（ステップＡ６でＹＥＳ）、ＯＫチェック欄４２をクリックして、ここにチェックマークを表示させる（ステップＡ７）、その後、引き続き、全てのＩＤキー１について、実際のＩＤキー１のタグ５に記載された居室Ｎｏ．およびカラーチップ４の色が、取込装置２０の表示装置２３に表示された居室Ｎｏ．および登録色と一致することが確認できるまで、点検作業を続ける（ステップＡ８でＮＯ→ステップＡ４→ステップＡ５→ステップＡ６→ステップＡ７→ステップＡ８でＮＯ・・・）。そして、全てのＩＤキー１について表示された居室Ｎｏ．および登録色とタグ５の居室Ｎｏ．およびカラーチップ４の色とが一致すると確認できたら（ステップＡ８でＹＥＳ）、作業完了ボタン４７をクリックしてチェックログを表示装置２３に表示させ、そのチェックログに基づきＩＤキー１の納品のための作業報告書を作成して提出し（ステップＡ１１）、点検は終了する。
【００３８】
本実施形態によれば次の効果を得られる。
【００３９】
本実施形態によれば、取込装置２０と読取装置３０はいずれも携帯可能なものだから、これらをコントローラ１００付近で、または、コントローラ１００から離れた場所（例えばＩＤキーを使用する建物の敷地内の建築事務所、建物の管理人室など）で、点検作業、すなわち、読取装置３０にＩＤキー１のキーＩＤを読み取らせ、取込装置２０の情報処理装置２２にそのキーＩＤに対応付けられた付属情報を検索させ、その検索結果である付属情報とを、取込装置２０の表示装置２３に表示させ、その表示させた付属情報と、実際のＩＤキー１に対応付けられた付属情報とが一致しているかどうかを確認する、という点検作業を行うことができる。つまり、建物に据付けの読取装置１０１を使用することなく、作業員１人がコントローラ１００の付近で、または、コントローラ１００から離れた別の場所で、ＩＤキー１の付属情報の点検を行うことができる。
【符号の説明】
【００４０】
１  ＩＤキー
２  子鍵
３  キーヘッド
４  カラーチップ
５  タグ
１０  点検支援装置
２０  取込装置
２２  情報処理装置
２２ａ  記憶手段
２２ｂ  検索手段
２３  表示装置
３０  読取装置
３１  読取部
４０  画面
４１  ＩＤ情報表示欄
４１ａ  居室Ｎｏ．表示欄
４１ｂ  登録色表示欄
４１ｃ  キーＩＤ表示欄
４２  ＯＫチェック欄
４３  ＮＧチェック欄
４４  キー総数表示欄
４５  キー確認数表示欄
４６  作業中断ボタン
４７  作業完了ボタン
１００  コントローラ
【図１】
2011232939.tif 000003
【図２】
2011232939.tif 000004
【図３】
2011232939.tif 000005
【図４】
2011232939.tif 000006
【図５】
2011232939.tif 000007
【図６】
2011232939.tif 000008